(57)【要約】【課題】整合部材によって幅整合されたシートを、押圧部材によって押し上げて給紙ローラに圧接させるとき、整合部材の上方への回動量をシートの積載枚数に関係なく一定にして、設置空間を狭くできるようにする。【解決手段】シート給送装置３０は、枠体３に設けられ、枠体３に収容されるシートの給送方向の前端側を押し上げて給紙ローラ１に押圧する押圧部材４と、シートの給送方向に沿った側端を整合する整合部材３１，３２と、を備えている。そして、整合部材３１，３２は、押圧部材４の領域外においてシートを整合する基部幅整合板５，６と、押圧部材４の領域内においてシートを整合するために設けられ、基部幅整合板５，６に上下動可能に支持された揺動幅整合板７，８とを備えている。また、揺動幅整合板７，８は、枠体３に収容されているシートの側端に当接する側部当接部７ｂ，８ｂと、シートの上面に当接する上部当接部７ａ，８ａとを備えている。【選択図】図１
2008239302.tif 000002
【特許請求の範囲】
【請求項１】
シート収容手段に収容されているシートを給送回転体により給送するシート給送装置において、
前記シート収容手段に設けられ、収容されるシートの給送方向の前端側を押し上げて給送回転体に押圧する押圧部材と、
シートの給送方向に沿った側端を整合する整合部材と、を備え、
前記整合部材が、前記押圧部材の領域外においてシートを整合する基部部材と、前記押圧部材の領域内においてシートを整合するために設けられ、前記基部部材に上下動可能に支持された可動部材とを備え、
前記可動部材が、収容されているシートの側端に当接する側部当接部と、シートの上面に当接する上部当接部とを備えていることを特徴とするシート給送装置。
【請求項２】
前記可動部材の前記上部当接部をシートの上面に押圧する方向に前記可動部材を付勢する付勢手段を備えていることを特徴とする請求項１に記載のシート給送装置。
【請求項３】
前記押圧部材に前記側部当接部を受け入れる受け入れ部を備えていることを特徴とする請求項１に記載のシート給送装置。
【請求項４】
シートに画像を形成する画像形成手段と、
前記画像形成手段にシートを給送するための請求項１乃至３に記載のシート給送装置と、を備えた、
ことを特徴とする画像形成装置。
【発明の詳細な説明】
【技術分野】
【０００１】
本発明は、収容されたシートを給送するシート給送装置と、該シート給送装置により給送されたシートに画像を形成する画像形成装置とに関する。
【背景技術】
【０００２】
従来、シートに画像を形成する画像形成装置は、画像形成手段にシートを供給するためのシート給送装置を備えている。このシート給送装置では、供給するシートが積載されるシート積載装置として、画像形成装置に着脱自在にカセットを設けたものがある。
【０００３】
図６（ａ）は、カセット１４１の平面図である。図６（ｂ）は、カセットの正面図である。図７は、シートの幅方向の位置を基準位置で整合（幅整合）するための１対の整合部材１３１，１３２と、シートを給紙ローラ１０１に圧接させる押圧部材１０４との位置関係を示す図である。
【０００４】
なお、シートの幅とは、シートの給送方向（矢印Ａ）に対して交差する方向（矢印Ｂ）の長さのことを言う。また、シートの幅整合とは、シートの給送方向に沿った側端を揃えることを言う。
【０００５】
図６において、カセット１４１は、シートの幅整合をするための１対の整合部材１３１，１３２と、この整合部材１３１，１３２によって幅整合されたシートを押し上げて給紙ローラ１０１に圧接する押圧部材１０４とを内部に備えている。カセット１４１内のシートの上面は、押圧部材１０４により給紙ローラ１０１に圧接され、給紙ローラ１０１が回転することによってシートがカセット１４１から送り出される。
【０００６】
整合部材１３１，１３２は、各種サイズのシートの幅を整合するため、図７において、矢印Ｂ方向に互いに接近離間するように設けられている。また、押圧部材１０４は、各種サイズのシートを押し上げるように矢印Ｃ方向に回動するように構成されている。また、押圧部材１０４は、本シート給送装置で給送可能な最大幅サイズのシートを支持可能な幅を有しており、小サイズのシートを整合するために整合部材１３１，１３２が押圧部材１０４の内側まで入り込めるようにしなければならない。そのため、整合部材１３１，１３２に押圧部材１０４が上下動可能に貫通するための大きさの貫通孔１３１ａ，１３２ａが形成されている。
【０００７】
ところが、このカセット１４１は、押圧部材１０４がシートを押し上げるとき、シートの側端を整合部材１３１，１３２の整合面１３１ｂ、１３２ｂを擦らせて上昇させることになる。このため、シートが整合面１３１ｂ、１３２ｂを擦れるときの抵抗に抗してシートを押上げなければならないため、押圧部材１０４の押上力を強くする必要があった。この押上力を強くしたとしても、シートの積載されている枚数や材質、整合部材１３１，１３２の位置等によってシートが整合面１３１ｂ、１３２ｂを擦れる力がばらついてしまう。そのため、シートが給紙ローラ１０１に圧接する力（給紙圧）が安定せず、シートの不送りや重送等を起こすおそれがあった。また、シートが整合面１３１ｂ、１３２ｂを擦るとき、整合面１３１ｂ、１３２ｂに引き込まれてシートの幅整合が乱れることもあった。
【０００８】
そこで、整合部材１３１，１３２において、押圧部材１０４に対応する部分を切除することが考えられる。しかし、この場合、整合部材１３１，１３２の長さが短くなり、整合部材１３１，１３２のシート幅整合精度が低下することになる。このため、整合部材１３１，１３２は、押圧部材１０４に対応する部分まで延長しているのが好ましい。
【０００９】
そこで、整合部材に対してシートが擦れることなく、かつシートの幅整合精度が損なわれないシート給送装置が特許文献１に示されている。
【００１０】
このシート給送装置は、図８、図９に示すように、テーブル２０２に積載されたシートをユーザが１対の整合部材２０３で幅整合した後、ばね２０８によって押し上げられる押圧部材２０４でシートを押し上げて給紙ローラ２０６に圧接するようになっている。テーブル２０２上のシートは、給紙ローラ２０６に圧接された状態で、給紙ローラ２０６が回転することによってテーブル２０２から送り出される。
【００１１】
整合部材２０３は、押圧部材２０４の領域外でテーブル２０２上に位置する基部幅整合板２０３ａと、押圧部材２０４上に位置して基部幅整合板２０３ａに上下方向に回動自在に軸２０７によって連結された揺動幅整合板２０３ｂとで形成されている。このため、シート給送装置２４１は、押圧部材２０４がシートを押し上げると、揺動幅整合板２０３ｂも一体になって押し上げられるので、整合部材２０３とシートとが擦れることがない。
【００１２】
【特許文献１】実開平１−７２５１４号公報
【発明の開示】
【発明が解決しようとする課題】
【００１３】
しかし、従来のシート給送装置２４１は、揺動幅整合板２０３ｂが押圧部材２０４上に載置されて、押圧部材２０４と一体に上下方向に回動するようになっている。このため、図９（ａ）に示すように、テーブル２０２上のシートＰの積載枚数が多い場合には、押圧部材２０４の上昇回動量が少なく、揺動幅整合板２０３ａの上昇回動量も少ない。したがって、揺動幅整合板２０３ａの上縁２０３ｂａの上方への突出量が少ない。
【００１４】
しかし、図９（ｂ）に示すように、テーブル２０２上のシートＰの積載枚数が少ない場合には、押圧部材２０４の上昇回動量が多くなり、揺動幅整合板２０３ａの上昇回動量も多くなる。したがって、揺動幅整合板２０３ａの上縁２０３ｂａの上方への突出量が多くなる。
【００１５】
よって、従来のシート給送装置２４１は、テーブル２０２に積載されるシートの枚数が少ない場合を考慮して、可動部材としての揺動幅整合板２０３ａの上縁２０３ｂａが上方へ突出するのを許容する空間を必要とし、設置空間を狭くすることが困難であった。
【００１６】
また、このようなシート給送装置を備えた画像形成装置も小型化が困難であった。
【００１７】
本発明は、整合部材によって幅整合されたシートを押圧部材によって押し上げて、そのシートを給送回転体に圧接させるとき、可動部材の上方への回動量を小さくして、設置空間を狭くすることが可能なシート給送装置を提供することにある。
【００１８】
本発明は、設置空間が狭くて済むシート給送装置を備えて小型にした画像形成装置を提供することにある。
【課題を解決するための手段】
【００１９】
本発明は、シート収容手段に収容されているシートを給送回転体により給送するシート給送装置において、前記シート収容手段に設けられ、収容されるシートの給送方向の前端側を押し上げて給送回転体に押圧する押圧部材と、シートの給送方向に沿った側端を整合する整合部材と、を備え、前記整合部材が、前記押圧部材の領域外においてシートを整合する基部部材と、前記押圧部材の領域内においてシートを整合するために設けられ、前記基部部材に上下動可能に支持された可動部材とを備え、前記可動部材が、収容されているシートの側端に当接する側部当接部と、シートの上面に当接する上部当接部とを備えていることを特徴としている。
【００２０】
本発明の画像形成装置は、シートに画像を形成する画像形成手段と、前記画像形成手段にシートを給送するための上記のシート給送装置と、を備えた、ことを特徴としている。
【発明の効果】
【００２１】
本発明では、押圧部材によってシートが押し上げられて給送回転体に押圧され、給送回転体が回転することによりシートが送り出される。このとき、収容されているシートの押圧部材の領域内での整合は、可動部材の側部当接部により行われる。また、可動部材は上部当接部で収容されているシートの上面に当接していて、シート上面の上下の変動に伴い上下に移動するため、可動部材は、シートの収容枚数に関わらずシート上面が給送回転体に圧接したときの位置以上に上がることはない。
【００２２】
よって、本発明のシート給送装置は、従来の構成と異なって、シートの収容枚数が少ないとき、可動部材が余分に上方へ回動することがなく、設置空間を狭くすることができる。
【００２３】
本発明の画像形成装置は、設置空間が狭くて済むシート給送装置を備えているので、小型にすることができる。
【発明を実施するための最良の形態】
【００２４】
以下、本発明の実施形態のシート給送装置と、このシート給送装置を装備した画像形成装置とを図に基づいて説明する。
【００２５】
図１は、本発明の実施形態におけるシート給送装置の概略外観斜視図である。図２は、図１のシート給送装置を備えた本発明の実施形態における画像形成装置の概略正面図である。図３は、図１におけるシート給送装置に設けられたカセットの動作説明用の図である。図３（ａ）は、シートが積載されていない押圧部材が下降回動したときの図である。図３（ｂ）は、シートが積載されていない押圧部材が上昇したときの図である。
【００２６】
なお、図２、図３、図５、図６において、括弧書きの符号は、各図に表れている部材と対をなして陰になっている同様な形状した部材の符号であり、その符号に相当する部材は図に示していない。
【００２７】
給送回転体としての給紙ローラ１は、給紙ローラ軸２に設けられている。給紙ローラ軸２は、画像形成装置４２の不図示の装置本体に支持されている。給紙ローラ１は、給紙ローラ軸２によって回転させられて、カセット４１の枠体３内に収容されたシートを送り出すようになっている。なお、本実施の形態のシート給送装置３０は、給紙ローラ1やカセット４１等から構成されている。
【００２８】
（カセット）
図１において、カセット４１は、シートを積載されるようになっており、画像形成装置４２（図２）の不図示の装置本体に着脱されるようになっている。カセット４１は、図１、図２において、右方向に装置本体から引き出して、シートを補充することができるようになっている。
【００２９】
カセット４１は、シート収容手段としての枠体３を備えている。枠体３の底部には、板状の押圧部材４が設けられている。押圧部材４は、シート給送方向の上流端部を支持軸２１，２２によって枠体３に支持されて、下流端部側（前端側）が図３（ａ）、図３（ｂ）に示すように上下方向に回動するようになっている。押圧部材４は、押圧ばね１１によって押し上げられて、枠体３内に積載されたシートを給紙ローラ１に押し付けるようになっている。
【００３０】
整合部材３１，３２は、枠体３内のシート給送方向（矢印Ａ方向）に沿った側壁３ａに平行に配設されている。整合部材３１，３２は、枠体３内に積載されたシートのシート給送方向に沿った側端を基準の位置で整合できるようにシートの幅方向（矢印Ｂ方向）に互いに接近離間できるようになっている。整合部材３１，３２は、基部部材としての基部幅整合板５，６と、この基部幅整合板５，６に連結軸２３，２４によって連結された上下方向に回動自在（上下動可能）な可動部材としての揺動幅整合板７，８とで構成されている。
【００３１】
基部幅整合板５，６は、押圧部材４が配設された領域外（押圧部材４の上流側）に位置してシートの幅方向に移動する部分である。揺動幅整合板７，８は、押圧部材４の領域内に位置して、基部幅整合板５，６がシートの幅方向に移動したとき、基部幅整合板５，６と一体に同方向に移動するようになっている。揺動幅整合板７，８の回動端部（シート給送方向の下流側端部）には、最上位のシートの上面に当接してシートの浮き上がりを防止する上部当接部７ａ，８ａが互いに対向する向きに突設されている。
【００３２】
連結軸２３，２４には、付勢手段としてのトーションばね９，１０が設けられている。トーションばね９，１０は、揺動幅整合板７，８を押圧部材４側に回動付勢して、上部当接部７ａ，８ａをシートの上面に圧接させるようになっている。なお、シートが無い場合には押圧部材４の上面に当接する。
【００３３】
後端整合板１２は、枠体３内にシート給送方向に移動自在に設けられており、枠体３内に積載されたシートの後端（シート給送方向の上流側端）を整合するようになっている。
【００３４】
（画像形成装置）
図２において、画像形成装置４２のパッドホルダ１６は、分離パッド１７を備えている。分離パッドばね１８は、パッドホルダ１６を給紙ローラ１側に付勢するようになっている。分離パッド１７は、押圧部材４によって給紙ローラ１に押圧されて、給紙ローラ１の回転によって送り出されたシートが重なっているとき、１枚に分離するようになっている。
【００３５】
画像形成装置４２の中間搬送ローラ対１３ａ，１３ｂは、カセット４１から給送されたシートを感光体ドラム１４に搬送するようになっている。画像形成手段としての感光体ドラム１４は、トナー画像が形成されるようになっている。転写ローラ１５は、感光体ドラム１４のトナー画像をシートに転写するようになっている。定着器２０は、シートを加熱加圧して、シートに転写されているトナー画像をシートに定着するようになっている。
【００３６】
カセット４１の枠体３内に収納、積載された複数枚のシートは、整合部材３１，３２によって側端を整合され、後端整合板１２によって後端を整合される。整合部材３１，３２は、基部幅整合板５，６と揺動幅整合板７，８とが一体に移動して、シートの側端を整合する。この積載されるシートの端部に各整合板を合わせる動作は、ユーザによって行われる。
【００３７】
その後、画像形成装置４２が作動状態になり、押圧部材４を押圧ばね１１に抗して押し下げる不図示の押し下げ機構による押圧部材４の押し下げ状態が解除される。すると、押圧部材４は、図３（ａ）、（ｂ）に示すように、押圧ばね１１（図２）に押し上げられて、支持軸２１，２２を中心に上方に回動し、シート束のシート給送方向下流端部を押し上げる。この結果、最上位のシートの下流側端部が給紙ローラ１に圧接させる。なお、押し下げ機構には、給紙ローラ軸２に設けられた、不図示のカムが給紙ローラ軸２と一体に回転して、押圧部材４を押し下げるようになっている。
【００３８】
続いて、給紙ローラ１が回転を始めて、シートの給送を開始する。給紙ローラ１にはパッドホルダ１６に保持された分離パッド１７が分離パッドばね１８によって押圧されている。このため、シートが重なって給送されても、分離パッド１７の摩擦によって下位のシートが上位のシートから分離されて残り、最上位のシートが１枚のみ、次の中間搬送ローラ対１３ａ，１３ｂへ搬送される。シートが中間搬送ローラ対１３ａ，１３ｂへと搬送されると、前述した不図示の押し下げ機構が作動して、押圧部材４は、押圧ばね１１に抗して押し下げられて給紙ローラ１から離間する。中間搬送ローラ対１３ａ，１３ｂによって給送されたシートは、感光体ドラム１４へ搬送されて、転写ローラ１５によって感光体ドラム上のトナー画像を転写される。そして、シートは、定着器２０でトナー画像を定着されて、排出ローラ対２５によって排出トレイ２６に排出される。
【００３９】
（整合部材）
次に、整合部材３１，３２の揺動幅整合板７，８を詳細に説明する。図４（ａ）は、枠体３内に複数枚のシートＰが積載されているときの揺動幅整合板７，８の平面図である。図４（ｂ）は、図４（ａ）をシートが給送される側から見た図である。
【００４０】
揺動幅整合板７，８の回動端側には、枠体３内に積載されたシートＰの内、最上位のシートの上面に接触する上部当接部７ａ，８ａが互いに向き合って形成されている。また、揺動幅整合板７，８の回動端側には、側部当接部７ｂ，８ｂが押圧部材４側に向けて突設されている。この側部当接部７ｂ，８ｂは、枠体３に複数枚のシートが積載されているとき、上位のシートの側端に接触して、シートの側端を整合（幅整合）するようになっている。
【００４１】
上部当接部７ａ，８ａと側部当接部７ｂ，８ｂとは互いに直角に形成されている。このため、揺動幅整合板７，８の回動端側は、図４（ｂ）に示すように、シートが給送される側から見ると、Ｌ字状に形成されている。
【００４２】
カセット４１に収納されたシートは、給紙ローラ１によって、最上位のシートから順次カセット４１から送り出される。このとき、最上位のシートは、上部当接部７ａ，８ａによって浮き上がりを防止され、かつ側部当接部７ｂ，８ｂによって側端を規制されてシート幅方向の位置決めされてカセット４１から送り出されるようになっている。
【００４３】
したがって、最上位のシートは、給紙ローラ１と分離パッド１７との間に進入するとき、上部当接部７ａ，８ａによって、浮き上がりを防止されて、ジャムが発生することが少なくなる。また、最上位のシートは、側部当接部７ｂ，８ｂによって、幅方向の位置決めをされて、給紙ローラ１と分離パッド１７との間に進入するため、感光体ドラム１４に対する位置ずれが少なくなる。このため、シートに形成される画像を所定の位置に正確に形成することができる。
【００４４】
また、側部当接部７ｂ，８ｂは、シートの積載枚数が少ないときには、押圧部材４の逃げ孔４ａ（図３）に入り込んで、シートが側部当接部７ｂ，８ｂの下端と押圧部材４との間に侵入するのを防止し、枚数の少ないシートの幅整合を確実に行えるようにしている。側部当接部７ｂ，８ｂを受け入れる受け入れ部としての逃げ孔４ａはシートの幅方向に沿った長孔であり、長孔の長さは、整合部材３１，３２がシートの幅を揃えるとき、シートの幅方向に移動するのを許容する長さである。なお、逃げ孔４ａの代わりに長溝を形成してもよい。また、取り扱うシートが厚紙のように、側部当接部７ｂ，８ｂの下端と押圧部材４との間に侵入することの少ないシートの場合には、逃げ孔４ａを必ずしも設ける必要がない。なお、揺動幅整合板７，８は、側部当接部７ｂ，８ｂのみでシートの幅整合を行うのではなく、側部当接部のシートとの当接面と同一面上にシートとの当接面を中間部７ｃ，８ｃに形成することにより中間部７ｃ，８ｃでもシートの幅整合を行えるようにしてもよい。
【００４５】
図５は、枠体３内に複数枚のシートＰが積載されているときのカセットの断面図である。図５（ａ）は、押圧部材４がシートを給紙ローラ１に圧接している状態の図である。図５（ｂ）は、押圧部材４が下方に回動してシートが給紙ローラ１から離間している状態の図である。
【００４６】
揺動幅整合板７は、トーションばね９によって押圧部材４側に回動付勢されている。このため、枠体３内にシートＰが積載されていると、上部当接部７ａ，８ａは、最上位のシートの上面に圧接されている。そして、シートが押圧部材４によって押し上げられると、上部当接部７ａ，８ａを介して揺動幅整合板７，８も上方に回動する。
【００４７】
この場合、最上位のシートが給紙ローラ１に受け止められるので、最上位のシートの高さ位置は、カセット４１に収納、積載されているシートの枚数に関係なく、一定の位置に維持される。このため、最上位のシートに接触している上部当接部７ａ，８ａの回動上昇位置も、一定の位置となる。したがって、揺動幅整合板７，８の回動上昇位置もシートの積載枚数に関係なく、シート上面が給紙ローラに圧接したときに当接している状態での位置以上に上がることはない。
【００４８】
したがって、本カセット４１は、枠体３に積載されるシートの積載枚数に関係なく、整合部材３１，３２の揺動幅整合板７，８の高さ位置が、一定であるので、従来と異なって、シートの積載枚数が少なくても、整合部材が余分に上方へ回動することがない。すなわち、整合部材３１，３２が給紙ローラ１より上方へ突出することがない。よって、カセット４１の設置空間を狭くすることができる。
【００４９】
しかも、整合部材３１，３２は、給紙ローラ１の近くまで延長して、シートの側端を長い距離に渡って整合することができるようになっているので、シートの幅整合精度を高めることができる。
【００５０】
また、整合部材３１，３２の揺動幅整合板７，８は、上部当接部７ａ，８ａがシートに接触し、押圧部材が傾動すると、シートを介して押圧部材とともに傾動するようになっている。このため、揺動幅整合板７，８は、従来と異なって押圧部材に接触したまま押圧部材とともに傾動するようになっていないので、押圧部材上を擦れて傾動するようなことがなく、円滑に傾動するようになっている。
【００５１】
なお、以上説明した本発明の実施形態は、カセット４１であったが、図８に示すシート給送装置２４１にも本発明を適用することができる。すなわち、図８の基部幅整合板２０３ｂに本発明の実施形態における上部当接部を設けることによって、本発明と同一の効果を奏することができる。
【００５２】
この場合のシート給送装置２４１において、テーブル２０２がシート収容手段に相当し、給紙ローラ１０１が給送回転体に相当し、整合部材２０３が整合部材に相当し、基部幅整合板２０３ａが基部部材に相当する。そして、揺動幅整合板２０３ｂが可動部材に相当することになる。
【００５３】
また、以上の実施形態において、給紙ローラ１，１０１の代わりにベルトを使用してもよい。また、整合部材３１，３２，２０３は、シートの幅方向に移動するようになっているが、少なくとも一方が移動するようになっていてもよい。
【図面の簡単な説明】
【００５４】
【図１】本発明の実施形態におけるシート給送装置の概略外観斜視図である。
【図２】図１のシート給送装置を備えた本発明の実施形態における画像形成装置の概略正面図である。
【図３】図１におけるカセットの動作説明用の図である。図３（ａ）は、シートが積載されていない押圧部材が下降回動したときの図である。図３（ｂ）は、シートが積載されていない押圧部材が上昇したときの図である。
【図４】整合部材の図である。（ａ）は、枠体内に複数枚のシートが積載されているときの整合部材の平面図である。（ｂ）は、（ａ）をシートが給送される側から見た図である。
【図５】枠体内に複数枚のシートが積載されているときのカセットの断面図である。（ａ）は、押圧部材がシートを給紙ローラに圧接している状態の図である。（ｂ）は、押圧部材が下方に回動してシートが給紙ローラから離れている状態の図である。
【図６】従来のカセットの図である。（ａ）は、カセットの平面図である。（ｂ）は、カセットの正面図である。
【図７】図６のカセットにおける整合部材と、押圧部材との位置関係を示す図である。
【図８】他の従来のシート給送装置の外観斜視図である。
【図９】図８におけるシート給送装置の動作説明用の図である。（ａ）は、シートの積載枚数が多い場合の図である。（ｂ）は、シートの積載枚数が少ない場合の図である。
【符号の説明】
【００５５】
Ｐ      シート
１      給紙ローラ（給送回転体）
３      枠体(シート収容手段)
４      押圧部材
４ａ    逃げ孔（受け入れ部）
５      基部幅整合板（基部部材）
６      基部幅整合板（基部部材）
７      揺動幅整合板（可動部材）
７ａ    上部当接部
７ｂ    側部当接部
７ｃ    中間部
８      揺動幅整合板（可動部材）
８ａ    上部当接部
８ｂ    側部当接部
８ｃ    中間部
９      トーションばね（付勢手段）
１０      トーションばね（付勢手段）
１１      押圧ばね
１４      感光体ドラム（画像形成手段）
３０      シート給送装置
３１      整合部材
３２      整合部材
４１      カセット
４２      画像形成装置
【図１】
2008239302.tif 000003
【図２】
2008239302.tif 000004
【図３】
2008239302.tif 000005
【図４】
2008239302.tif 000006
【図５】
2008239302.tif 000007
【図６】
2008239302.tif 000008
【図７】
2008239302.tif 000009
【図８】
2008239302.tif 000010
【図９】
2008239302.tif 000011